(57)【要約】【課題】障害物を検知する検知器を交換する際の作業性を向上することができるエレベータの出入口安全装置を得る。【解決手段】この発明に係るエレベータの出入口安全装置は、かごドア及び乗場ドアを有するエレベータ出入口にあって、障害物を検知する検知器を備え、この検知器をかご室内あるいは乗場側から装着可能に取り付けられた戸当り柱と、かご室内あるいは乗場側から戸当り柱に装着され、検知器を覆うカバーと、を備えた。これにより、カバーをかご室内あるいは乗場から取り外し、検知器をかご室内あるいは乗場から交換することができ、作業性を向上することができる。【選択図】  図３
2010208840.tif 000002
【特許請求の範囲】
【請求項１】
かご室のかごドア及び乗場の乗場ドアを有するエレベータ出入口にあって、障害物を検知する検知器を備えたエレベータの出入口安全装置において、
前記検知器を前記かご室内あるいは前記乗場側から装着可能に取り付けられた戸当り柱と、
前記かご室内あるいは前記乗場側から前記戸当り柱に装着され、前記検知器を覆うカバーと、
を備えたことを特徴とするエレベータの出入口安全装置。
【請求項２】
前記戸当たり柱に前記カバーが取り付けられるカバー取り付け面を有し、前記戸当たり柱に取り付けられ、前記カバーを前記カバー取り付け面に対して前記かご室側あるいは前記乗場側方向へ移動できるように取り付けるとともに、前記カバーが装着された状態では、前記カバーを前記カバー取り付け面に弾性力で押え付けるクリップを備えたことを特徴とする請求項１に記載のエレベータの出入口安全装置。
【請求項３】
前記クリップは、前記カバーが前記カバー取り付け面に対して移動する方向における前記カバーの取り付け位置を定める位置決め部を有することを特徴とする請求項２に記載のエレベータの出入口安全装置。
【請求項４】
前記カバーは、前記カバー取り付け面に対して折り曲げられた折り曲げ部を有することを特徴とする請求項２または３に記載のエレベータの出入口安全装置。
【請求項５】
前記検知器は、障害物を検知する方向に検知面を有し、前記カバーは、該検知面に平行な面を有するとともに、前記検知面に平行な面から折り曲げられ前記検知器に当接する当接部を有することを特徴とする請求項１から４のいずれかに記載のエレベータの出入口安全装置。
【請求項６】
前記カバーは、上端部に固定部を有することを特徴とする請求項１から５のいずれかに記載のエレベータの出入口安全装置。
【発明の詳細な説明】
【技術分野】
【０００１】
この発明は、出入口に障害物を検知する検知器を備えたエレベータの出入口安全装置に関するものである。
【背景技術】
【０００２】
従来のエレベータの出入口安全装置は、戸当たり柱がかご側と乗場側に２分割されて、かご側の戸当たり柱と乗場側の戸当たり柱の間に投光器が挟みこまれている。そして、かご側の戸当たり柱にナットを固設するとともに、乗場側の戸当り柱に溝形状の取り付け穴を形成し、乗場側の戸当り柱とともに、投光器をローレット状の頭部を有するネジでかご側の戸当たり柱に固設されたナットに締結固定している。また、かごドアの戸当たり側の端部に受光器を設置し、投光器及び受光器により障害物を検知している。この投光器及び受光器が障害物を検知する検知器である。また、乗場側の戸当たり柱に溝形状の取り付け穴を形成している。これにより、三方枠と乗場側の戸当たり柱との隙間から手を挿入しネジの頭部を操作し、乗場側から投光器を取り外すことができる。（例えば、特許文献１参照）
【先行技術文献】
【特許文献】
【０００３】
【特許文献１】特開２００２−１７３２８５号公報（第２−３頁、第１図）
【発明の概要】
【発明が解決しようとする課題】
【０００４】
従来のエレベータの出入口安全装置は、上記のように乗場側から取り外しが可能だが、その作業は、三方枠と乗場側の戸当たり柱との隙間から手を挿入して行われるものである。通常、三方枠と乗場側の戸当たり柱との隙間は、意匠性の観点から大きいものではない。そのため、三方枠と乗場側の戸当たり柱との隙間が小さい場合、手を挿入することができず、乗場側から投光器を取り外すことができないか、あるいは、手を挿入するにしても作業が困難となる。従って、従来のエレベータの出入口安全装置は、投光器を取り替える際の作業が困難であるといった問題点があった。
本発明は、かかる問題を解決するためになされたもので、その目的は、障害物を検知する検知器を交換する際の作業性を向上することができるエレベータの出入口安全装置を得ることである。
【課題を解決するための手段】
【０００５】
この発明に係るエレベータの出入口安全装置は、かごドア及び乗場ドアを有するエレベータ出入口にあって、障害物を検知する検知器を備え、この検知器をかご室内あるいは乗場側から装着可能に取り付けられた戸当り柱と、かご室内あるいは乗場側から戸当り柱に装着され、検知器を覆うカバーと、を備えたものである。
【発明の効果】
【０００６】
これにより、カバーをかご室内あるいは乗場から取り外し、検知器をかご室内あるいは乗場から交換することができる。従って、作業員が昇降路内に入って検知器を交換する必要がなく、検知器を交換する作業性を向上することができる。
【図面の簡単な説明】
【０００７】
【図１】本発明の実施の形態１におけるエレベータの出入口安全装置の上面図である。
【図２】図１の矢印Ａから視た図である。
【図３】図１のＢ部を示す要部拡大図である。
【図４】図１の矢印Ｃから視た図である。
【図５】図４の断面Ｄ−Ｄを示した図である。
【図６】図５の矢印Ｅから視た図である。
【図７】本発明の実施の形態２におけるエレベータの出入口安全装置の上面図である。
【図８】図７のＦ部を示す要部拡大図である。
【発明を実施するための形態】
【０００８】
以下、本発明の実施の形態について、詳細に説明する。
実施の形態１．
図１は、本発明の実施の形態１におけるエレベータの出入口安全装置の上面図である。図２は図１の矢印Ａから視た図である。図３は図１のＢ部を示す要部拡大図である。図４は図１の矢印Ｃから視た図である。図５は図４の断面Ｄ−Ｄを示した図である。図６は図５の矢印Ｅから視た図である。
エレベータは昇降路１内にかご室２が昇降し、各階の乗場３にかご室２が停止し、乗客がエレベータの出入口４より乗降する。エレベータの出入口４には、かご室２のかご出入口部２ａに配置されたかごドア２ｂと、乗場３の乗場出入口部３ａに配置された乗場ドア３ｂが設けられている。また、かご室２には、かごドア２ｂの両側に、袖壁５と戸当たり柱６が設けられている。そして、乗場３には、乗場ドア３ｂの両側に、三方枠７が設置されている。かごドア２ｂは図示しない駆動装置によって開閉する。なお、かごドア２ｂが袖壁５側へ移動してかご出入口部２ａが開いた状態となり、戸当たり柱６側へ移動して閉じた状態となる。また、乗場ドア３ｂはかごドア２ｂの開閉と連動して開閉する。以上のようにかごドア２ｂ及び乗場ドア３ｂが開閉することで、エレベータの出入口４が開閉する。
【０００９】
投光器８ａが袖壁５のかご出入口部２ａ側に設けられている。この投光器８ａはかごドア２ｂよりかご室２側に配置されている。また、投光器８ａはかご出入口部２ａの開口高さとほぼ同じ高さとなっており、かごドア２ｂの移動方向に向けて光を投光する。そして、投光器８ａに対応した受光器８ｂが戸当たり柱６に設けられている。この受光器８ｂはかごドア２ｂよりかご室２側に配置されている。また、受光器８ｂはかご出入口部２ａの開口高さとほぼ同じ高さである。そして、受光器８ｂは受光面がかごドア２ｂの移動方向に向けて配置され、投光器８ａから投光された光を受光する。そして、出入口４に存在する障害物が投光器８ａの光を遮り、受光器８ｂがこれを検知する。この受光器８ｂと投光器８ａとで検知器８を構成し、検知器８が出入口４に存在する障害物を検知する。なお、投光器８ａの光の光路が障害物を検知する方向であり、受光器８ｂの受光面が検知面８ｃである。
【００１０】
戸当たり柱６は断面が略Ｚ状を呈し、受光器８ｂが取り付けられる検知器取り付け部６ａと、かごドア２ｂの端面に対向した戸当たり部６ｂを有している。検知器取り付け部６ａは、戸当たり部６ｂから受光器８ｂの検知する方向に沿って折り曲げられている。そして、受光器８ｂはかご室２内あるいは乗場３側から装着されるように、検知器取り付け部６ａの昇降路１と反対側の面に取り付けられている。なお、検知器取り付け部６ａの昇降路１側にナット９ａ設けられ、かご室２内あるいは乗場３側からよりネジ９ｂが受光器８ｂに挿入され、受光器８ｂが検知器取り付け部６ａに締結されている。また、戸当たり柱６の端部は、検知器取り付け部６ａから受光器８ｂの検知面８ｃに沿って折り曲げられ、さらに昇降路１側へ折り曲げられたかご室取り付け部６ｃを有している、そして、このかご室取り付け部６ｃがかご室２の壁２ｃに取り付けられて、戸当たり柱６がかご室２に取り付けられる。また、戸当たり柱６の他端部は、戸当たり部６ｂからかごドア２ｂの移動方向に沿って折り曲げられた対向部６ｄを有し、この対向部６ｄが三方枠７に対向している。
【００１１】
また、戸当たり部６ｂにはかご室２内あるいは乗場３側にカバー取り付け面６ｅを有している。そして、このカバー取り付け面６ｅにカバー１０が取り付けられ、カバー１０がかご室２内あるいは乗場３側から戸当たり部６ｂに装着されるように取り付けられている。そして、カバー１０が受光器８ｂを覆っている。このカバー１０は断面が略コ字状を呈し、カバー取り付け面６ｅに取り付けられる取り付け部１０ａと、この取り付け部１０ａから折り曲げられてかごドア２ｂの移動方向に沿った第一の表面部１０ｂと、この第一の表面部１０ｂから折り曲げられて受光器８ｂの検知面８ｃに平行な面を有する第二の表面部１０ｃと、この第二の表面部１０ｃから内側へ折り曲げられ、受光器８ｂに当接する当接部１０ｄと、を有する。また、取り付け部１０ａは、端部にカバー取り付け面６ｅに対して折り曲げられた折り曲げ部１０ｅを形成している。このカバー１０は受光器８ｂとほぼ同じ高さとなっており、戸当たり柱６と一体的に取り付けられている。
【００１２】
カバー１０は、戸当たり部６ｂに複数箇所に設けられた固定具１１によって戸当たり柱６に取り付けられている。この固定具１１は次に説明する金具１２及びクリップ１３を備えている。金具１２は断面がＬ字状を呈し、一面１２ａが戸当たり部６ｂの昇降路１側の面に取り付けられ、他面１２ｂが戸当たり部６ｂの昇降路１側に立設している。なお、この金具１２はカバー１０とほぼ同じ高さである。そして、金具１２の他面１２ｂには、上下方向の複数箇所にクリップ１３が取り付けられている。このクリップ１３は断面が略Ｌ字状を呈し、一面が金具１２の他面１２ｂにリベット１４などで固定されている。そして、戸当たり部６ｂに複数の角穴６ｇが設けられ、クリップ１３の他面である押え部１３ａが、戸当たり部６ｂの昇降路１側から、角穴６ｇに挿入されている。
【００１３】
取り付け部１０ａには、折り曲げ部１０ｅの折り曲げられた部分に跨って挿入孔１０ｆが設けられている。この挿入孔１０ｆに押え部１３ａが挿入されている。そして、押え部１３ａとカバー取り付け面６ｅとの間に取り付け部１０ａが挿入されるように配置されている。そして、押え部１３ａがクリップ１３のバネ作用による弾性力によって、取り付け部１０ａを戸当たり部６ｂに押え付けている。このクリップ１３の押し付け力によって、カバー１０を戸当たり柱６に摩擦保持している。また、取り付け部１０ａが、押え部１３ａが押え付けている押え力に抗して、カバー取り付け面６ｅに対して乗場３側へ移動することによって、カバー１０が取り外される。このとき、押え部１３ａが挿入孔１０ｆから抜かれる。また、取り付け部１０ａを乗場３の反対側へ移動することによって、押え部１３ａとカバー取り付け面６ｅとの間に挿入して、カバー１０が取り付けられる。このように、カバー１０は、クリップ１３により、カバー取り付け面６ｅに対して乗場３側の方向に移動できるように戸当たり柱６に取り付けられている。
【００１４】
また、押え部１３ａは中間部に段差状の位置決め部１３ｂを形成し、先端部に外側へ折り曲げられた傾斜部１３ｃを形成している。そして、カバー１０が取り付けられた状態では、位置決め部１３ｂに取り付け部１０ａの挿入孔１０ｆの一面が当接している。これにより、カバー１０がカバー取り付け面６ｅに対して移動する方向、即ち乗場３側の方向におけるカバー１０の取り付け位置が定められている。即ち、カバー１０の第二の表面部１０ｃが受光器８ｂの検知面８ｃとほぼ同一面を形成するように、カバー１０が取り付けられている。以上のように、カバー１０は固定具１１によって戸当たり柱６に取り付けられている。
また、かご室２にはかご出入口部２ａの上側に幕板１５が設けられている。この幕板１５は、側面が略Ｌ字状を呈し、両側面が、袖壁５と戸当たり柱６に取り付けられている。そして、カバー１０の上端部の内側にナット１６が設けられ、カバー１０の上端部がネジ１７とナット１６とによって幕板１５の下部側面に固定されている。
【００１５】
次に、受光器８ｂを交換する作業について説明する。
まず、かごドア２ｂを開くとともに乗場ドア３ｂを開いて、出入口４を開口した状態とする。次に、かご室２内あるいは乗場３から出入口４の上部に手を伸ばし、工具などを用いてネジ１７を外す。そして、図５のようにカバー１０を戸当たり部６ｂの面に沿って乗場３側へ引き出す。このとき、カバー１０は、クリップ１３が取り付け部１０ａを押え付けている押え力に抗して引き出され、押さえ部１３ａが挿入孔１０ｆから抜かれる。これにより、受光器８ｂがかご室２内あるいは乗場３から開放された状態となる。次に、ネジ９ｂを外し、受光器８ｂを戸当たり柱６から取り外す。そして、上記と逆の手順で新しい受光器８ｂを取り付ける。なお、カバー１０を装着する際、まず、挿入孔１０ｆの一面が押え部１３ａの先端の傾斜部１３ｃに当接する。そして、この状態からさらにカバー１０を押し込むことで、押え部１３ａがクリップ１３の押え力に抗して持ち上げられる。さらにカバー１０を押し込み、押え部１３ａが取り付け部１０ａを戸当たり部６ｂに押え付ける。そして、挿入孔１０ｆの一面が位置決め部１３ｂに当接して、カバー１０が装着される。以上によって、受光器８ｂの交換が完了する。
【００１６】
以上の実施の形態１におけるエレベータの出入口安全装置は、次に示す効果を奏する。
実施の形態１におけるエレベータの出入口安全装置は、受光器８ｂがかご室２内あるいは乗場５側から戸当たり柱６に装着されている。そして、カバー１０がかご室２内あるいは乗場３側から戸当たり部６ｂに装着され、受光器８ｂを覆っている。これにより、カバー１０をかご室２内あるいは乗場３から取り外し、受光器８ｂをかご室２内あるいは乗場３から交換することができる。従って、作業員が昇降路１内に入って受光器８ｂを交換する必要がなく、受光器８ｂを交換する作業性を向上することができる。
【００１７】
また、戸当たり柱６には、カバー１０が取り付けられるカバー取り付け面６ｅを有し、カバー１０が、クリップ１３によってカバー取り付け面６ｅに対して乗場３側の方向に移動できるように戸当たり柱６に取り付けられている。そして、クリップ１３は、戸当たり柱６に取り付けられ、カバー１０が装着された状態では、カバー１０をカバー取り付け面６ｅに弾性力で押え付けている。これにより、ネジ等の締結具が不要でカバー１０の取り外し及び取り付け作業を容易とすることができる。また、ネジ等の締結具がカバー１０の表面側に露出することがないので、意匠性を良くすることができる。さらに、クリップ１３の押え部１３ａに位置決め部１３ｂを形成し、この位置決め部１３ｂにカバー１０の取り付け部１０ａの一面が当接している。そして、カバー１０がカバー取り付け面６ｅに対して移動する方向におけるカバー１０の取り付け位置が定められている。これにより、カバー１０を取り付けるとともに、取り付け位置が定められるので、取り付けの作業性がさらに向上する。
【００１８】
さらに、カバー１０の取り付け部１０ａにカバー取り付け面６ｅに対して折り曲げた折り曲げ部１０ｅを形成したので、折り曲げられた部分の外側が丸みを帯びた形状となり、カバー１０を取り付ける際に、戸当たり柱６を傷つけることを抑制することができ、意匠性を損なうことがない。また、カバー１０は、受光器８ｂの検知面８ｃに平行な面を有する第二の表面部１０ｃと、この第二の表面部１０ｃから内側へ折り曲げられ、受光器８ｂに当接する当接部１０ｄと、を有している。これにより、カバー１０の寸法誤差や取り付け誤差などによって、第二の表面部１０ｃが受光器８ｂの検知面８ｃに対して検知方向に段差が生じる場合があるが、第二の表面部１０ｃと受光器８ｂとが一体的に形成されたように見え、意匠性を良くすることができる。
【００１９】
さらに、クリップ１３の押え部１３ａの先端部に外側へ折り曲げられた傾斜部１３ｃを形成している。これにより、カバー１０を装着する際、この傾斜部１３ｃにカバー１０を当接させ、この状態でカバー１０を押し込むことで、押え部１３ａが持ち上げられ、押え部１３ａが取り付け部１０ａを戸当たり部６ｂに押え付ける。従って、カバー１０を容易に戸当たり柱６に装着することができ、作業性をさらに向上することができる。
【００２０】
さらに、幕板１５がかご室２の上側に配置され、側面が戸当たり柱６に取り付けられている。そして、カバー１０の上端部が幕板１５に固定されている。これにより、カバー１０は幕板１５との固定状態を解除しない限り、取り外すことができず、いたずらなどによってカバー１０を外すことを防止することができる。これは、カバー１０と幕板１５との固定箇所は上端部にあるので、乗客からは見えにくく、カバー１０と幕板１５との固定を解除する行為を抑制する。また、カバー１０と幕板１５との固定箇所は乗客からは見えにくいため、意匠性を損なうこともない。
【００２１】
実施の形態２．
図７は、本発明の実施の形態２におけるエレベータの出入口安全装置の上面図である。図８は、図７のＦ部を示す要部拡大図である。実施の形態２は、実施の形態１に対して、検知器８の配置が異なるものである。
図において、投光器８ａは、かごドア２ｂの戸当たり柱２０側の端部に取り付けられている。また、投光器８ａはかごドア２ｂと乗場ドア３ｂとの間に配置されている。そして、投光器８ａに対応した受光器８ｂが戸当たり柱２０に取り付けられている。戸当たり柱２０は断面が略Ｚ字状を呈し、受光器８ｂが取り付けられる検知器取り付け部２０ａと、かごドア２ｂの端面に対向した戸当たり部２０ｂを有している。検知器取り付け部２０ａは、戸当たり部２０ｂから受光器８ｂの検知方向に沿って折り曲げられている。そして、受光器８ｂはかご室２内あるいは乗場３側から装着されるように、検知器取り付け部２０ａの昇降路１と反対側の面に取り付けられている。
【００２２】
また、戸当たり柱２０は、戸当たり部２０ｂからかごドア２ｂの移動方向に沿って折り曲げられて、かごドア２ｂのかご室２側の面に対向した対向部２０ｃと、この対向部２０ｃから出入方向に折り曲げられ、さらに昇降路１側へ折り曲げられたかご室取り付け部２０ｄを有している。そして、このかご室取り付け部２０ｄがかご室２の壁２ｃに取り付けられて、戸当たり柱２０がかご室２に取り付けられる。また、戸当たり柱２０は、検知器取り付け部２０ａから出入方向に乗場３側へ折り曲げられた支柱部２０ｅと、支柱部２０ｅから受光器８ｂの検知方向に沿って昇降路１と反対側へ折り曲げられたカバー取り付け部２０ｆを有している。
【００２３】
このカバー取り付け部２０ｆのカバー取り付け面２０ｇに、カバー２１が取り付けられて、かご室２内あるいは乗場３側から戸当たり柱２０に装着されるように取り付けられている。そして、カバー２１が受光器８ｂを覆っている。このカバー２１は断面が略コ字状を呈し、カバー取り付け面２０ｇに取り付けられる取り付け部２１ａと、この取り付け部２１ａから折り曲げられて受光器８ｂの検知面８ｃに平行な面を有する表面部２１ｂと、この表面部２１ｂから内側へ折り曲げられ、受光器８ｂに当接する当接部２１ｃと、を有する。このカバー２１は受光器８ｂの高さとほぼ同じ高さとなっており、戸当たり柱２０と一体的に取り付けられている。
【００２４】
また、支柱部２０ｅの昇降路１側には、クリップ２２が上下方向の複数個所に取り付けられている。このクリップ２２は断面が略Ｌ字状を呈し、一面が支柱部２０ｅにリベット１４などで固定されている。また、クリップ２２の他面である押え部２２ａが、取り付け部２１ａの面に沿って配置されている。そして、押え部２２ａがクリップ２２のバネ作用による弾性力によって、取り付け部２１ａをカバー取り付け面２０ｇに押え付けている。また、クリップ２２には、支柱部２０ｅの取り付け面側に位置決め部２２ｂを形成し、この位置決め部２２ｂに取り付け部２１ａの端面が当接している。これにより、カバー２１のカバー取り付け面２０ｇに対して移動する方向、即ちかご室２側の方向におけるカバー２１の取り付け位置が定められている。即ち、カバー２１の表面部２１ｂが受光器８ｂの検知面８ｃとほぼ同一面を形成するように、カバー２１が取り付けられている。また、クリップ２２の押え部２２ａは、先端部に外側へ折り曲げられた傾斜部２２ｃを形成している。以上のように、カバー２１がクリップ２２によって、カバー取り付け面２０ｇに対してかご室２側の方向に移動できるように戸当たり柱２０に取り付けられている。
その他、実施の形態１の図と同符号のものは、実施の形態１と同様であり詳細な説明は省略する。
【００２５】
次に、実施の形態２における受光器８ｂを交換する作業について説明する。
まず、かごドア２ｂを開くとともに乗場ドア３ｂを開いて、出入口４を開口した状態とする。次に、カバー２１をカバー取り付け面２０ｇに対してかご室２側へ引き出す。このとき、カバー２１は、クリップ２２が取り付け部２１ａを押え付けている押え力に抗して引き出される。これにより、受光器８ｂがかご室２内あるいは乗場３から開放された状態となる。次に、ネジ９ｂを外し、受光器８ｂを戸当たり柱２０から取り外す。そして、上記と逆の手順で新しい受光器８ｂを取り付ける。なお、カバー１０を装着する際、まず、取り付け部２１ａの端面が押え部２２ａの先端の傾斜部２２ｃに当接する。そして、この状態からさらにカバー２１を押し込むことで、押え部２２ａがクリップ２２の押え力に抗して持ち上げられる。さらにカバー２１を押し込み、押え部２２ａが取り付け部２１ａをカバー取り付け面２０ｇに押え付ける。そして、取り付け部２１ａの端面が位置決め部２２ｂに当接して、カバー２１が装着される。以上によって、受光器８ｂの交換が完了する。
【００２６】
実施の形態１では、投光器８ａ及び受光器８ｂをかごドア２ｂよりかご室２側へ配置したが、実施の形態２は、かごドア２ｂに投光器８ａを取り付け、受光器８ｂを投光器８ａに対応させて戸当たり柱２０に取り付けた。このようなエレベータの出入口安全装置にも適用でき、実施の形態１と同様な効果を奏する。
【００２７】
なお、上記の実施の形態１及び実施の形態２では、袖壁５、かごドア２ｂに投光器８ａを取り付け、戸当たり柱６、２０に受光器８ｂを取り付けたが、逆に袖壁５、かごドア２ｂに受光器８ｂを取り付けて、戸当たり柱６、２０に投光器８ａを取り付けてもよい、また、検知器８は投光器８ａと受光器８ｂで構成したが、画像などを認識するカメラでもよく、障害物を検知する検知器であればよい。
【００２８】
また、カバー１０、２１をクリップ１３、２２によって戸当たり柱６、２０に取り付けたが、ネジなどの固定手段でカバー１０、２１を戸当たり柱６，２０に取り付けてもよい。例えば、カバー１０の第一の表面部１０ｂを外側よりネジを挿入し、このネジを戸当たり柱６の検知器取り付け部６ａに締結して、カバー１０を戸当たり柱６に取り付けてもよい。また、例えば、カバー２１の表面部２１ｂを外側よりネジを挿入し、このネジを戸当たり柱２０の支柱部２０ｅに締結して、カバー２１を戸当たり柱２０に取り付けてもよい。以上のように、カバー１０、２１をかご室２内あるいは乗場３側より戸当たり柱６、２０に装着できればよい。但し、実施の形態１、２のように、クリップ１３、２２でカバー１０、２１を取り付けた方が、ネジなどで固定する必要がないので取り付けの作業性がよく、また、ネジが露出することがなく意匠性が良いので望ましい。
また、カバー１０の上端部を幕板１５に固定したが、戸当たり柱６に固定してもよく、カバー１０の上端部が固定される構成であればよい。
【符号の説明】
【００２９】
２  かご室、３  乗場、４  出入口、６  戸当たり柱、６ａ  検知器取り付け部、
６ｂ  戸当たり部、６ｅ  カバー取り付け面、８  検知器、８ａ  投光器、
８ｂ  受光器、８ｃ  検知面、１０  カバー、１０ａ  取り付け部、１０ｄ  当接部、
１０ｅ  折り曲げ部、１１  固定具、１２  金具、１３  クリップ、１３ａ  押え部、１３ｂ  位置決め部、１３ｃ  傾斜部
【図１】
2010208840.tif 000003
【図２】
2010208840.tif 000004
【図３】
2010208840.tif 000005
【図４】
2010208840.tif 000006
【図５】
2010208840.tif 000007
【図６】
2010208840.tif 000008
【図７】
2010208840.tif 000009
【図８】
2010208840.tif 000010